(57)【要約】      （修正有）【課題】折戸の連結戸を閉じる際の衝撃を吸収すると共に連結戸を最後まで閉じきることができる緩衝装置を提供する。【解決手段】１つの蝶番によって水平方向に回動可能に連結された１対の戸板を含む連結戸に用いられる緩衝装置は、１対の戸板の一方の裏面に取り付けられる第１の本体部材２０と、他方の裏面に取り付けられる第２の本体部材２１と、第１の本体部材及び第２の本体部材間に張設され、両部材間に互いに引張る力を与えるバネ部材２２，２３とを備えている。緩衝装置が戸板に取り付けられた場合に、少なくとも１つのバネ部材は、第１の本体部材及び第２の本体部材の表面間の角度が第１の所定角度以上である際は回動軸より戸板の表面側に位置して１対の戸板を閉じる方向に付勢し、第１の本体部材及び第２の本体部材の表面間の角度が上述の第１の所定角度未満の際は回動軸より裏面側に位置して１対の戸板を開く方向に付勢するように構成されている。【選択図】図２
2015203180.tif 000002
【特許請求の範囲】
【請求項１】
戸板の裏面に取り付けられた少なくとも１つの蝶番によって設定される回動軸に関して水平方向に回動可能に連結された１対の戸板を含む連結戸に用いられる緩衝装置であって、前記１対の戸板の一方の前記裏面に埋設して取り付けられる第１の本体部材と、該１対の戸板の他方の前記裏面に埋設して取り付けられる第２の本体部材と、前記第１の本体部材及び前記第２の本体部材間に張設され、両部材間に互いに引張る力を与える少なくとも１つのバネ部材とを備えており、前記第１の本体部材及び前記第２の本体部材は、直接的には、前記少なくとも１つのバネ部材のみで連結されており、当該緩衝装置が前記１対の戸板に取り付けられた場合に、前記少なくとも１つのバネ部材は、前記第１の本体部材及び前記第２の本体部材の表面間の角度が第１の所定角度以上である際は前記回動軸より前記戸板の表面側に位置して前記１対の戸板を閉じる方向に付勢し、前記第１の本体部材及び前記第２の本体部材の表面間の前記角度が前記第１の所定角度未満の際は前記回動軸より前記裏面側に位置して前記１対の戸板を開く方向に付勢するように構成されていることを特徴とする連結戸の緩衝装置。
【請求項２】
前記第１の本体部材及び前記第２の本体部材は、蝶番部材によって軸支されることなく前記回動軸に関して回動可能に構成されていることを特徴とする請求項１に記載の連結戸の緩衝装置。
【請求項３】
前記少なくとも１つのバネ部材は、前記回動軸との距離及び／又はバネ長を調整可能であることを特徴とする請求項１又は２に記載の連結戸の緩衝装置。
【請求項４】
前記第１の本体部材に装着され、軸方向に加えられる衝撃を吸収する少なくとも１つのダンパ部材と、前記第２の本体部材に取り付けられ前記少なくとも１つのダンパ部材の前記軸方向の先端が当接する当接面を有する当接部材とをさらに備えており、前記少なくとも１つのダンパ部材の前記軸方向の先端と前記当接部材の前記当接面とは、前記第１の本体部材及び前記第２の本体部材の表面間の角度が第２の所定角度以上となった際に当接するように構成されていることを特徴とする請求項１から３のいずれか１項に記載の連結戸の緩衝装置。
【請求項５】
前記当接部材は、前記少なくとも１つのダンパ部材と当接する位置を調整するために前記当接面を前後方向に移動可能であることを特徴とする請求項４に記載の連結戸の緩衝装置。
【請求項６】
前記当接部材は、前記第２の本体部材に螺合可能なネジによって前記当接面が前後方向に移動可能に構成されていることを特徴とする請求項５に記載の連結戸の緩衝装置。
【発明の詳細な説明】
【技術分野】
【０００１】
本発明は、折戸等の蝶番によって連結された戸板を開閉する際の回動速度を調整可能な連結戸の緩衝装置に関する。
【背景技術】
【０００２】
折戸の緩衝装置として、特許文献１及び２には、折戸を閉じる際の戸板相互の急激な回動を制動するために、戸板の連結部に取り付けられた一対の取り付け部材を互いに回動自在に連結しているヒンジ（蝶番）部と、一方の取り付け部材に設けられ、水平方向に圧縮され反発するダンパ及びこのダンパに装着された当接部材からなる制動機構部とを備え、当接部材が折戸の閉じ際に一方の取り付け部材に押圧されることによりダンパを圧縮するように構成された緩衝装置が開示されている。
【先行技術文献】
【特許文献】
【０００３】
【特許文献１】特許第５０３５９６７号公報
【特許文献２】特許第５３３６７１９号公報
【発明の概要】
【発明が解決しようとする課題】
【０００４】
しかしながら、特許文献１及び２に記載されている従来の緩衝装置は、折戸の連結部に元々取り付けられている複数の蝶番の回動軸と緩衝装置の蝶番の回動軸とが同軸となるように、緩衝装置の折戸への取り付け位置を精密に設定及び調整する必要があり、設定及び調整がうまく行われずこれらの回動軸が一直線上に配列されない場合、折戸の本来の開閉機能が損なわれてしまうおそれがあった。特に、蝶番の回動軸位置は、製品毎及び製造会社毎にばらばらであり、従来の緩衝装置の蝶番が対応できる対象はかなり限定され、また、緩衝装置の取り付け位置で回動軸が同軸になるように後調整することは非常に困難であった。
【０００５】
さらに、特許文献１及び２に記載されている従来の緩衝装置は、折戸が閉じる際にその回動速度を制動して衝撃を吸収するものであり、閉じる方向へ付勢する機能は備わっていないため、閉じる途中で回動が停止してしまい、最後まで閉じきらない可能性が多分にあった。
【０００６】
さらにまた、特許文献１及び２に記載されている従来の緩衝装置は、開く方向に付勢する機能も備わっていないため、折戸を開く際に、ある程度の力を要していた。
【０００７】
従って本発明の目的は、折戸の連結部に取り付けられている蝶番の軸位置との位置合わせが不要であるか又は非常に容易に行うことができ、また、軸位置の異なる種々の蝶番に対応可能である連結戸の緩衝装置を提供することにある。
【０００８】
本発明の他の目的は、連結戸を閉じる際の衝撃を吸収すると共に連結戸を最後まで閉じきることができる連結戸の緩衝装置を提供することにある。
【課題を解決するための手段】
【０００９】
本発明によれば、戸板の裏面に取り付けられた少なくとも１つの蝶番によって設定される回動軸に関して水平方向に回動可能に連結された１対の戸板を含む連結戸に用いられる緩衝装置は、１対の戸板の一方の裏面に埋設して取り付けられる第１の本体部材と、１対の戸板の他方の裏面に埋設して取り付けられる第２の本体部材と、第１の本体部材及び第２の本体部材間に張設され、両部材間に互いに引張る力を与える少なくとも１つのバネ部材とを備えている。第１の本体部材及び第２の本体部材は、直接的には、少なくとも１つのバネ部材のみで連結されている。この緩衝装置が１対の戸板に取り付けられた場合に、少なくとも１つのバネ部材は、第１の本体部材及び第２の本体部材の表面間の角度が第１の所定角度以上である際は回動軸より戸板の表面側に位置して１対の戸板を閉じる方向に付勢し、第１の本体部材及び第２の本体部材の表面間の角度が上述の第１の所定角度未満の際は回動軸より裏面側に位置して１対の戸板を開く方向に付勢するように構成されている。
【００１０】
少なくとも１つのバネ部材によって、第１の本体部材及び第２の本体部材の表面間の角度がある角度（第１の所定角度）以上では戸板を閉じる方向に付勢し、ある角度未満では逆に戸板を開く方向に付勢するように構成されているため、戸板を閉じる方向では、ソフトクローズ機能と最後までゆっくり確実に閉める機能とを得ることができ、また、少なくとも１つのバネ部材によって、第１の本体部材及び第２の本体部材間の角度が上述の第１の所定角度未満では戸板を開く方向に付勢するように構成されているため、戸板を開く方向では、小さな力でゆっくりと開ききることができる。特に本発明では、第１の本体部材及び第２の本体部材が、直接的には、少なくとも１つのバネ部材のみで連結されているため、この緩衝装置には軸支用の蝶番部材が設けられていない。このため、折戸の連結部に取り付けられている蝶番の軸位置（回動軸）にこの緩衝装置を精確に位置合わせすることなく、おおまかな位置合わせのみで、折戸の蝶番によって設定されている回動軸が自動的にこの緩衝装置の回動軸となる。このため、位置合わせが不要であるか又は非常に容易となるのみならず、また、軸位置の異なる種々の蝶番に対応可能である。従って、本発明の緩衝装置は、折戸の蝶番に対して汎用性が非常に高く、蝶番の種類を選ばず、本緩衝装置専用の蝶番を用意する必要がない。これは蝶番の品種を増やす必要がないことを意味する。また、このような汎用性を非常に簡単な構造で得ることができる。
【００１１】
第１の本体部材及び第２の本体部材は、蝶番部材によって軸支されることなく上述の回動軸に関して回動可能に構成されていることが好ましい。軸支されていないことにより、上述したごとく、折戸の連結部に取り付けられている蝶番の軸位置との位置合わせが不要であるか又は非常に容易となり、軸位置の異なる種々の蝶番に対応可能となる。
【００１２】
少なくとも１つのバネ部材は、上述の回動軸との距離及び／又はバネ長を調整可能であることも好ましい。回動軸との距離を調整することにより、戸板を閉じる方向に付勢するか開く方向に付勢するかの閾値となる第１の所定角度を調整することができる。バネ長を調整することによって付勢力を調整することができる。
【００１３】
第１の本体部材に装着され、軸方向に加えられる衝撃を吸収する少なくとも１つのダンパ部材と、第２の本体部材に取り付けられ少なくとも１つのダンパ部材の軸方向の先端が当接する当接面を有する当接部材とをさらに備えており、少なくとも１つのダンパ部材の軸方向の先端と当接部材の当接面とは、第１の本体部材及び第２の本体部材の表面間の角度が第２の所定角度以上となった際に当接するように構成されていることも好ましい。このような少なくとも１つのダンパ部材を設けることにより、戸板を閉じる際の制動機能が得られ、閉じる衝撃に対する緩衝作用が得られる。衝撃に対する制動力は、設けるダンパ部材の数によって変更可能である。
【００１４】
この場合、当接部材は、少なくとも１つのダンパ部材と当接する位置を調整するために当接面を前後方向（ダンパ部材に関して近づく及び遠ざかる方向）に移動可能であることが好ましい。さらに、当接部材は、第２の本体部材に螺合可能なネジによって当接面が前後方向に移動可能に構成されていることがより好ましい。ダンパ部材と当接する位置を調整することによっても衝撃に対する制動力及び制動開始位置を微調整することができる。
【発明の効果】
【００１５】
本発明によれば、戸板を閉じる方向では、ソフトクローズ機能と最後までゆっくり確実に閉める機能とを得ることができ、戸板を開く方向では、小さな力でゆっくりと開ききることができる。さらに、折戸の連結部に取り付けられている蝶番の軸位置（回動軸）にこの緩衝装置を精確に位置合わせすることなく、おおまかな位置合わせのみで折戸の蝶番によって設定されている回動軸が自動的にこの緩衝装置の回動軸となる。このため、位置合わせが不要であるか又は非常に容易となるのみならず、また、軸位置の異なる種々の蝶番に対応可能である。従って、本発明の緩衝装置は、折戸の蝶番に対して汎用性が非常に高く、蝶番の種類を選ばず、本緩衝装置専用の蝶番を用意する必要がない。これは蝶番の品種を増やす必要がないことを意味する。また、このような汎用性を非常に簡単な構造で得ることができる。
【図面の簡単な説明】
【００１６】
【図１】本発明の一実施形態における緩衝装置を折戸に取り付けた際の折戸全体の構成を概略的に示す図である。
【図２】図１の実施形態における緩衝装置の構成を概略的に示す（Ａ）側面図、（Ｂ）正面図、（Ｃ）図２（Ｂ）のＣ−Ｃ線断面図である。
【図３】図１の実施形態における緩衝装置をその第１の本体部材及び第２の本体部材を互いに回動させた状態で正面方向から概略的に示す斜視図である。
【図４】図１の実施形態における緩衝装置をその第１の本体部材及び第２の本体部材を互いに回動させた状態で背面方向から概略的に示す斜視図である。
【図５】図１の実施形態における緩衝装置の１つのバネ部材とその取り付け部品とを概略的に示す斜視図である。
【図６】図１の実施形態における緩衝装置の１つのダンパ部材を概略的に示す斜視図である。
【図７】図１の実施形態における緩衝装置におけるバネ部材の付勢方向を説明する説明図である。
【発明を実施するための形態】
【００１７】
図１は本発明の一実施形態における緩衝装置を折戸に取り付けた際の折戸全体の構成を概略的に示している。ここでは、単なる一例として、１対の戸板を３つの蝶番で連結してなる例えば上吊り式の折戸の場合を説明している。従って、３つ以上の戸板が順次連結されている折戸についても本発明は適用される。
【００１８】
同図において、１０及び１１は１対の戸板、１２、１３及び１４はこれら戸板１０及び１１の裏面１０ａ及び１１ａの連結部１５に取り付けられ、戸板１０及び１１を戸板回動軸３４（図７参照）の回りで水平方向に回動自在に連結する３つの蝶番、１６はこれら戸板１０及び１１の裏面１０ａ及び１１ａの連結部１５に取り付けられた本実施形態の緩衝装置をそれぞれ示している。
【００１９】
本明細書において、戸板の裏面とは、蝶番や緩衝装置が取り付けられこれらを目視できる側の面を指している。従って、図１は戸板の裏面側を示している。また、図１は折戸（戸板）が完全に閉じている状態を示しており、開く場合は、連結部１５が図の奥方向へ動くこととなる。
【００２０】
蝶番の数は３以外の任意の数であって良く、また、その種類も図示の例に限定されない。さらに、緩衝装置１６の数も単なる一例であり、その数は１以外の任意の数であって良い。また、緩衝装置１６の取り付け位置も、戸板１０及び１１の連結部１５であれば任意である。
【００２１】
図２は本実施形態における緩衝装置１６の構成を概略的に示しており、（Ａ）は側面から見た状態、（Ｂ）は正面から見た状態、（Ｃ）は同図（Ｂ）のＣ−Ｃ線断面をそれぞれ示しており、図３は本実施形態における緩衝装置１６をその第１の本体部材及び第２の本体部材を互いに回動させた状態で正面方向から概略的に示しており、図４は本実施形態における緩衝装置をその第１の本体部材及び第２の本体部材を互いに回動させた状態で背面方向から概略的に示している。
【００２２】
これらの図に示すように、緩衝装置１６は、第１の本体部材２０及び第２の本体部材２１と、これら第１の本体部材２０及び第２の本体部材２１間に張設された２つのバネ部材２２及び２３と、第１の本体部材２０に装着された２つのダンパ部材２４及び２５と、第２の本体部材２１に取り付けられた、ダンパ部材２４及び２５の当接部材２６及びその位置調節用ネジ２７とを備えている。
【００２３】
第１の本体部材２０及び第２の本体部材２１は、例えばＡＢＳ等の樹脂材料又は軽量な金属材料から成形されており、戸板１０及び１１の裏面１０ａ及び１１ａの連結部１５に開口して形成された凹状切り欠き部に埋めこまれ、そのフランジ部２０ａ及び２１ａに形成されている各４つのネジ孔２０ｂ及び２１ｂを通る図示しない木ネジによって戸板１０及び１１の裏面１０ａ及び１１ａに取り付けられる。従って、戸板１０及び１１の裏面１０ａ及び１１ａに、第１の本体部材２０及び第２の本体部材２１の表面２０ｃ及び２１ｃ（図２（Ｂ）に表す面）が現れることとなる。
【００２４】
第１の本体部材２０及び第２の本体部材２１の表面２０ｃ及び２１ｃ側には、それらの連結部側端面２０ｄ及び２１ｄに一端が開口して形成された凹溝２０ｅ及び２１ｅと凹溝２０ｆ及び２１ｆとがそれぞれ形成されている。図２（Ｂ）に示すように、戸板１０及び１１が完全に閉じた状態では、凹溝２０ｅ及び２１ｅが互いに連結されて表面２０ｃ側のみに開口する１つの凹溝となり、凹溝２０ｆ及び２１ｆも互いに連結されて表面２０ｃ側のみに開口する１つの凹溝となる。図示のように、この一方の１つの凹溝内にバネ部材２２が挿入されて取り付けられ、他方の１つの凹溝内にバネ部材２３が挿入されて取り付けられる。
【００２５】
これら第１の本体部材２０及び第２の本体部材２１は、直接的には、これらバネ部材２２及び２３のみで互いに連結されており、蝶番部材等によって軸支されていない。
【００２６】
バネ部材２２及び２３は、コイル状の引張りバネであり、本実施形態ではステンレス鋼で形成されているが、その他のバネ性を有する金属材料で形成されていても良い。これらバネ部材２２及び２３の各々、例えばバネ部材２３は、図５に示すように、その両端の引掛け部２３ａ及び２３ｂがカラー２８及び２９の細い円柱状の中央部２８ａ及び２９ａにそれぞれ引掛けられて取り付けられている。カラー２８及び２９は、例えばポリアセタール等の樹脂材料で成形されており、細い円柱状の中央部２８ａ及び２９ａの両側に太い円柱状の側部２８ｂ及び２９ｂ並びに２８ｃ及び２９ｃがそれぞれ同軸に一体成形されて形成されている。
【００２７】
これらカラー２８及び２９の軸中心には貫通穴２８ｄ及び２９ｄがそれぞれ形成されている。図２（Ａ）に示すように、第１の本体部材２０及び第２の本体部材２１には、その側面２０ｇ及び２１ｇから凹溝２０ｆ及び２１ｆの両側壁を貫通して複数の位置調整穴３２及び３３が設けられている。これら複数の位置調整穴３２及び３３のうちの１つの位置調整穴と、カラー２８及び２９の貫通穴２８ｄ及び２９ｄとに、取り付け用の挿通ピン３０及び３１をそれぞれ挿通させることにより、バネ部材２３が第１の本体部材２０及び第２の本体部材２１間に互いに引張る力を与えるように張設される。挿通ピン３０及び３１を複数の位置調整穴３２及び３３のうちのどの穴に挿通させるかによって、バネ部材２３の中心軸３５（図７参照）と戸板の回動軸３４（図７参照）との距離と、バネ長を調整することができる。回動軸３４との距離を調整することにより、戸板を閉じる方向に付勢するか開く方向に付勢するかの閾値となる第１の所定角度を調整することができる。また、バネ長を調整することによってこのバネ部材２３の付勢力を調整することができる。以上の構成及び機能は、バネ部材２２についても同様である。
【００２８】
図４に示すように、２つのダンパ部材２４及び２５は、第１の本体部材２０の連結部側端面２０ｄに設けられた２つの円筒状の非貫通穴２０ｈ及び２０ｉ内にそれぞれ挿入されて装着されている。ダンパ部材２４及び２５の各々、例えばダンパ部材２４は、図６に示すように、円筒状の外被２４ａ内の図示しないオリフィスを有する圧力室内にオイルを充填しておき、ピストンに連結されたピストンロッド２４ｂの先端が軸方向に押圧された際にオリフィスからオイルが流出して圧力室内に発生する油圧を利用し、軸方向に加えられた衝撃エネルギを吸収するソフトアブソーバである。ダンパ部材２５も同様である。この種のソフトアブソーバは市販されている。
【００２９】
第２の本体部材２１の連結部側端面２１ｄには、図２（Ｂ）及び（Ｃ）に示すように、長方形開口を有する非貫通穴２１ｊが形成されており、この非貫通穴２１ｊ内に略直方体形状の当接部材２６が前後方向（非貫通穴２１ｊの軸方向）に移動可能に取り付けられている。当接部材２６のこの取り付け及び移動は、非貫通穴２１ｊの中心軸と同軸に形成されたネジ孔２１ｋに螺合する位置調節用ネジ２７によって行われる。当接部材２６の前面は、ダンパ部材２４及び２５のピストンロッドの軸方向の先端が当接する凹円弧状断面を有する当接面２６ａを構成しており、ダンパ部材２４及び２５の軸方向の先端と当接部材２６の当接面２６ａとは、戸板１０及び１１が閉じ方向に付勢され第１の本体部材２０及び第２の本体部材２１の表面２０ｃ及び２１ｃ間の角度が第２の所定角度を越える際に当接し、衝撃を吸収するように構成されている。位置調節用ネジ２７によって当接部材２６の当接面２６ａを移動させ、ダンパ部材２４及び２５と当接する位置を調整することによって、衝撃に対する制動力及び制動開始位置を微調整することができる。
【００３０】
このようなダンパ部材２４及び２５を設けることにより、戸板を閉じる際の制動機能が得られ、閉じる衝撃に対する緩衝作用が得られる。衝撃に対する制動力は、設けるダンパ部材の数によって変更可能である。
【００３１】
本実施形態では２つのダンパ部材を用いているが、吸収すべき衝撃の大きさや時間等に応じて、ダンパ部材の数は２つ以外の任意の数であっても良く、またダンパ部材の種類も適宜選択可能である。
【００３２】
本実施形態の緩衝装置１６を１対の戸板１０及び１１に取り付けるには、蝶番１２、１３及び１４が軸合わせを経てあらかじめ取り付けられている１対の戸板１０及び１１の裏面１０ａ及び１１ａの連結部１５に、この緩衝装置１６を精確に行うことなくおおまかな軸合わせで取り付ける。第１の本体部材２０及び第２の本体部材２１が、直接的には、２つのバネ部材２２及び２３のみで連結されているため、本実施形態の緩衝装置１６には軸支用の蝶番部材が設けられていない。このため、１対の戸板１０及び１１の連結部１５に取り付けられている蝶番１２、１３及び１４の回動軸の位置にこの緩衝装置１６を精確に位置合わせすることなく、おおまかな位置合わせのみで、蝶番１２、１３及び１４によって設定されている回動軸が自動的にこの緩衝装置１６の回動軸となるのである。このため、位置合わせが不要であるか又は非常に容易となるのみならず、また、軸位置の異なる種々の蝶番に対応可能である。従って、本実施形態の緩衝装置１６は、折戸の蝶番に対して汎用性が非常に高く、蝶番の種類を選ばず、本緩衝装置１６専用の蝶番を用意する必要がない。これは蝶番の品種を増やす必要がないことを意味している。また、このような汎用性を非常に簡単な構造で得ることができる。
【００３３】
次に、１対の戸板１０及び１１に埋設させて取り付けた本実施形態の緩衝装置におけるバネ部材２２及び２３の付勢方向について、戸板１０及び１１の上方から見た図７を用いて説明する。
【００３４】
図７（Ａ）に示すように、１対の戸板１０及び１１が完全に閉じた状態では、第１の本体部材２０及び第２の本体部材２１の表面２０ｃ及び２１ｃ間の角度は１８０°であり、バネ部材２２及び２３は比較的短いバネ長ａ（例えば、ａ＝４０ｍｍ）となっている。この場合、バネ部材２２及び２３の中心軸３５は戸板の回動軸３４より戸板の表面側に位置しており、バネ部材２２及び２３は戸板１０及び１１を閉じ方向に付勢している。
【００３５】
図７（Ｂ）に示すように、１対の戸板１０及び１１がそれより開き方向となると、第１の本体部材２０及び第２の本体部材２１の表面２０ｃ及び２１ｃ間の角度は約１２０°程度となり、バネ部材２２及び２３は最長バネ長ｂ（例えば、ｂ＝４６ｍｍ）となる。この場合、バネ部材２２及び２３の中心軸３５は戸板の回動軸３４上にあり、バネ部材２２及び２３は戸板１０及び１１を開き方向にも閉じ方向にも付勢していない。
【００３６】
図７（Ｃ）に示すように、１対の戸板１０及び１１が図７（Ｂ）の場合より開き方向となると、第１の本体部材２０及び第２の本体部材２１の表面２０ｃ及び２１ｃ間の角度は約１１０°程度となり、バネ部材２２及び２３は最長より短いがやや長いバネ長ｃ（例えば、ｃ＝４５．８ｍｍ）となる。この場合、バネ部材２２及び２３の中心軸３５は戸板の回動軸３４より戸板の裏面側にあり、従ってバネ部材２２及び２３は戸板１０及び１１を開き方向に付勢している。
【００３７】
図７（Ｄ）に示すように、１対の戸板１０及び１１が図７（Ｂ）の場合より閉じ方向となると、第１の本体部材２０及び第２の本体部材２１の表面２０ｃ及び２１ｃ間の角度は約１３０°程度となり、バネ部材２２及び２３は最長より短いがやや長いバネ長ｃ（例えば、ｃ＝４５．８ｍｍ）となる。この場合、バネ部材２２及び２３の中心軸３５は戸板の回動軸３４より戸板の表面側にあり、従ってバネ部材２２及び２３は戸板１０及び１１を閉じ方向に付勢している。
【００３８】
本実施形態の緩衝装置は、上述したように付勢を行うバネ部材２２及び２３と、ダンパ部材２４及び２５と、その当接部材２６とを備えているため、以下のように作動する。
【００３９】
最初に、折戸が完全に閉じており、１対の戸板１０及び１１が図１に示すような状態にあるとする。この状態で、例えば戸板１０及び１１の連結部１５を図の奥方向へ押して、折戸を開き始め、緩衝装置１６の第１の本体部材２０及び第２の本体部材２１の表面２０ｃ及び２１ｃ間の角度がある角度（第１の所定角度、図７の例では約１２０°）未満となると、図７（Ｃ）に示すように、バネ部材２２及び２３は戸板１０及び１１を開き方向に付勢する。これにより、戸板をゆっくりと開く機能を得ることができると共に、小さな力で戸板を開ききることができる。
【００４０】
折戸を閉じる場合、緩衝装置１６の第１の本体部材２０及び第２の本体部材２１の表面２０ｃ及び２１ｃ間の角度がある角度（第１の所定角度、図７の例では約１２０°）以上となると、図７（Ｄ）に示すように、バネ部材２２及び２３は、戸板１０及び１１を閉じ方向に付勢する。これにより、戸板がゆっくりと閉じるソフトクローズ機能が得られ、さらに、戸板が閉じきるまでこの付勢が行われるため、戸板を最後まで確実に閉じることができる。さらにまた、戸板が閉じる際に、第１の本体部材２０及び第２の本体部材２１の表面２０ｃ及び２１ｃ間の角度が第２の所定角度以上となると、ダンパ部材２４及び２５の軸方向の先端と当接部材２６の当接面２６ａとが当接し、ダンパ部材２４及び２５が作動することにより、制動機能が得られ、閉じる衝撃が大幅に緩和される。
【００４１】
以上説明したように、本実施形態の緩衝装置１６によれば、２つのバネ部材２２及び２３によって、第１の本体部材２０及び第２の本体部材２１の表面２０ｃ及び２１ｃ間の角度がある角度（第１の所定角度、図７の例では約１２０°）以上では戸板１０及び１１を閉じる方向に付勢し、このある角度未満では逆に戸板１０及び１１を開く方向に付勢するように構成されている。このため、戸板１０及び１１を閉じる方向では、ソフトクローズ機能と最後までゆっくり確実に閉める機能とを得ることができ、さらに、戸板１０及び１１を開く方向では、小さな力で開ききることができる。また、ダンパ部材２４及び２５の作用により、閉じ方向の制動機能が得られ、閉じる衝撃が大幅に緩和される。なお、開き方向に対する制動機能を得るには、他のダンパ部材を別途設ければ良い。
【００４２】
挿通ピンの挿入位置によって、バネ部材の中心軸と戸板の回動軸３４との距離を調整できるため、戸板を閉じる方向に付勢するか開く方向に付勢するかの閾値となる第１の所定角度を調整することができる。また、挿通ピンの挿入位置によって、バネ長を調整することができるため、バネ部材の付勢力を調整することができる。もちろん、バネ部材自体の種類及び数によっても、付勢力を調整できることは言うまでもない。
【００４３】
衝撃に対する制動力は、設けるダンパ部材の数及び種類によって変更可能である。また、第２の本体部材２１に螺合可能な位置調節用ネジ２７によって当接部材２６の当接面２６ａを移動させ、ダンパ部材２４及び２５と当接する位置を調整することによって、衝撃に対する制動力及び制動開始位置を簡単に微調整することができる。
【００４４】
本実施形態によれば、以上のような種々の機能を簡易な構造で得ることができる。
【００４５】
上述した形状、構造、寸法及び材料は、単なる一例であり、本発明における緩衝装置は、他の種々の形状、構造、寸法及び材料で構成できることは言うまでもない。即ち、以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００４６】
１０、１１  戸板
１０ａ、１１ａ  裏面
１２、１３、１４  蝶番
１５  連結部
１６  緩衝装置
２０  第１の本体部材
２０ａ、２１ａ  フランジ部
２０ｂ、２１ｋ、２１ｂ  ネジ孔
２０ｃ、２１ｃ  表面
２０ｄ、２１ｄ  連結部側端面
２０ｅ、２１ｅ、２０ｆ、２１ｆ  凹溝
２０ｇ、２１ｇ  側面
２０ｈ、２０ｉ、２１ｊ  非貫通穴
２１  第２の本体部材
２２、２３  バネ部材
２３ａ、２３ｂ  引掛け部
２４、２５  ダンパ部材
２４ａ  外被
２４ｂ  ピストンロッド
２６  当接部材
２６ａ  当接面
２７  位置調節用ネジ
２８、２９  カラー
２８ａ、２９ａ  中央部
２８ｂ、２８ｃ、２９ｂ、２９ｃ  側部
２８ｄ、２９ｄ  貫通穴
３０、３１  挿通ピン
３２、３３  位置調整穴
３４  回動軸
３５  中心軸
【図１】
2015203180.tif 000003
【図２】
2015203180.tif 000004
【図３】
2015203180.tif 000005
【図４】
2015203180.tif 000006
【図５】
2015203180.tif 000007
【図６】
2015203180.tif 000008
【図７】
2015203180.tif 000009